(57)【要約】【課題】目や耳の不自由な方や高齢者の方でも、温度設定を指で操作しながら、給湯温度を変更していること蝕知させる誰でも安全かつ利便性よく利用できる利便性を向上した給湯リモコン装置を提供すること。【解決手段】動作状態を表示する表示手段２０５と、給湯温度を変更する操作手段２０１と、前記操作手段２０１を振動させる振動手段２０４とを備えた給湯リモコン装置２で、使用者が操作手段２０１を操作する時、動作画面に応じて操作手段２０１が振動するので、操作している画面を指の触覚で認識できるようになり、目や耳で確認しなくてもまた確認出来なくても、設定操作がしやすくなり、給湯リモコン装置２の操作性・利便性がよくなる。【選択図】図２
2010270977.tif 000002
【特許請求の範囲】
【請求項１】
動作状態を表示する表示手段と、給湯温度を変更する操作手段と、前記操作手段を振動させる振動手段とを備えた給湯リモコン装置。
【請求項２】
給湯温度を設定する給湯温度設定画面を備え、前記給湯温度設定画面を表示すると、操作手段を振動させる請求項１に記載の給湯リモコン装置。
【請求項３】
給湯温度を設定する給湯温度設定画面と、その他の設定画面とで、振動手段を振動させる振動パターンを変更する請求項１または２に記載の給湯リモコン装置。
【請求項４】
振動手段を振動させる所望の表示画面を設定する設定手段を備えた請求項１〜３のいずれか１項に記載の給湯リモコン装置。
【請求項５】
請求項１〜４のいずれか１項記載の給湯リモコン装置を備えた給湯装置。
【発明の詳細な説明】
【技術分野】
【０００１】
本発明は、給湯リモコン装置で設定した給湯温度の報知に関する給湯リモコン装置、給湯装置の報知方法またはプログラムに関するものである。
【背景技術】
【０００２】
従来の給湯機において、給湯機内の出湯配管の途中に湯温検出手段を設け、設定高温度が検出された時、その検出時点から所定時間経過後に、音声や表示によって注意報知を報知手段で行なうものが示されており、この構成により高温のお湯が吐出するタイミングを使用者に報知し注意を喚起している（例えば、特許文献１参照）。
【０００３】
また、給湯機リモコンにおいて、給湯機の設定温度などを音声で報知させるスイッチを設け、視覚障害の方でも表示を見ることなく給湯装置の現在状態を確認するものが特許文献２に示されている（例えば、特許文献２参照）。
【先行技術文献】
【特許文献】
【０００４】
【特許文献１】特開２００２−１６２１１５号公報
【特許文献２】特開２００４−１８３９７２号公報
【発明の概要】
【発明が解決しようとする課題】
【０００５】
しかしながら、前記従来の構成では、高温のお湯が出ることを音声または表示で使用者に報知したり、またスイッチで現在状態を音声で確認することはできるが、聴覚に障害のある人は使用できない。
【０００６】
また表示の場合は、リモコン等に表示されるが、浴室の中では一般的に文字も小さく見にくいという問題もある。音声は、高齢者で耳の遠い人の場合には、聞きづらいという問題もある。
【０００７】
さらに、浴室においてシャワー等でお湯を利用するとき、シャワーを使いながら、所望の温度設定になっていないことに気づき、給湯リモコンで温度設定を変更することは少なくない。つまり給湯リモコンに水滴が付着したり、シャワー音がある中で、表示や音で確認しながら、感覚的に温度設定を変更することは、設定値を確認しづらく利便性が悪いという課題があった。
【０００８】
加えて、給湯リモコン装置には、カランから出湯する給湯温度の設定と、ふろ温度設定の複数の温度設定が存在する場合があり、どちらの設定を行なっているか分かりにくい場合がある。
【０００９】
本発明は、給湯リモコン装置で温度設定しお湯を利用する時、目や耳の不自由な方や高齢者の方でも、温度設定を指で操作しながら、給湯温度を変更していること蝕知させ、操作と報知の利便性を向上した給湯リモコン装置を提供することを目的とする。
【課題を解決するための手段】
【００１０】
上記課題を解決するために本発明の給湯リモコン装置は、動作状態を表示する表示手段と、給湯温度を変更する操作手段と、前記操作手段を振動させる振動手段とを備えたもので、動作画面に応じて、振動手段により操作手段を振動させるので、操作しながら指の感
覚で、操作した画面が認識でき、給湯リモコン装置の表示や音声を確認しなくても、またできなくても、給湯温度設定などができるようになる。
【００１１】
また指で蝕知できるので、目や耳の不自由な方でもまた高齢者の方に対しても、給湯温度設定などの操作の利便性を向上することができるようになる。
【発明の効果】
【００１２】
本発明によれば、目や耳の不自由な方や、高齢者の方にも、操作をしながら指の感覚で、操作中の画面（機能）を認識させることができる給湯リモコン装置を提供できる。
【図面の簡単な説明】
【００１３】
【図１】本発明の実施の形態１における給湯装置及びリモコンのシステム構成図
【図２】同リモコンを示すブロック図
【図３】同リモコンの動作を示すフローチャート
【図４】同リモコンの表示画面を示す図
【発明を実施するための形態】
【００１４】
第１の発明は、動作状態を表示する表示手段と、給湯温度を変更する操作手段と、前記操作手段を振動させる振動手段とを備えた給湯リモコン装置で、使用者が操作手段を操作する時、動作画面に応じて操作手段が振動するので、操作している画面を指の触覚で認識できるようになり、目や耳で確認しなくてもまた確認出来なくても、設定操作がしやすくなり、給湯リモコン装置の操作性・利便性がよくなる。指の触感で温度設定を行う画面などを認識できるので目や耳の不自由な方や高齢者にも使いやすくなる。
【００１５】
第２の発明は、給湯温度を設定する給湯温度設定画面を備え、前記給湯温度設定画面を表示すると、操作手段を振動させるもので、給湯温度設定画面を表示した時、振動手段で操作手段を振動させることで、給湯温度設定の操作において、画面を目や耳で確認しなくても、また出来なくても、利用できるようになり、給湯リモコン装置の操作性がよくなり、給湯温度を変更していることを認識できるので安全性も高めることができる。
【００１６】
第３の発明は、給湯温度を設定する給湯温度設定画面と、その他の設定画面とで、振動手段を振動させる振動パターンを変更するもので、給湯温度設定画面と、その他の設定画面の違いを、別の振動パターンで振動させることによって、使用者に現在の表示画面を蝕知させることができ、お湯の温度を変更する設定なのか、そうでないのかを簡単に認識させることができ、より利便性が高まる。
【００１７】
第４の発明は、振動手段を振動させる所望の表示画面を設定する設定手段を備えたもので、振動する表示画面を設定できるようにすることで、好きな振動パターンを、良く利用する設定画面等に設定できるので、給湯リモコン装置の利便性が更に高まる。
【００１８】
第５の発明は、第１〜４のいずれかの給湯リモコン装置を備えた給湯装置で、給湯装置の利便性が高まる。
【００１９】
以下、本発明の実施の形態について、図面を参照しながら説明する。なお、この実施の形態によって本発明が限定されるものではない。
【００２０】
（実施の形態１）
図１は本発明の実施の形態１における給湯装置及びリモコンのシステム構成図である。図２はリモコンのブロック構成図である。図１〜図２用いて第１の実施の形態の構成を説明する。
【００２１】
図１において、給湯装置１は、ヒートポンプ式の給湯機である。ヒートポンプユニット１ａ、貯湯タンクユニット１ｂから構成される。ヒートポンプユニット１ａは空気の熱を冷媒（ＣＯ２冷媒）に吸収させ、コンプレッサーで圧縮することでさらに高温にし、配管に流れる水と熱交換させることで、お湯を作るシステムである。作られたお湯は、貯湯タンクユニット１ｂに貯められ、使用者はお湯が必要なとき、貯湯タンクユニット１ｂに貯められたお湯を利用する。
【００２２】
リモコン２は、給湯装置１の制御を行なうリモコンである。リモコン２では、給湯温度を設定するためのスイッチ２ａ、２ｂを備える。２ａは上スイッチ、２ｂは下スイッチである。上スイッチ２ａ、下スイッチ２ｂは、ボタンスイッチ、メンブレンスイッチ、タッチスイッチ（静電式、圧電式）などで構成され、給湯温度の上げ下げや、メニュー画面でのカーソルの上げ下げに使用される。
【００２３】
またリモコン２では、給湯温度設定、風呂の湯はりのふろ温度設定、湯はり量などを設定するふろ湯量設定などがある。加えて深夜にお湯を沸かし、貯湯タンクユニット１ｂに貯める湯量設定など、貯湯に関する設定機能も備える。図１では、お風呂側のリモコン２を示しているが、台所リモコンも存在する。本実施の形態では図示しない。
【００２４】
また本実施の形態のリモコン２には、温度設定の変更状態を蝕知（触って認識させる）できるようにするため、上スイッチ２ａ、下スイッチ２ｂに振動装置を接続している。また振動装置での振動パターンを複数保持し、操作する給湯温度設定画面、種々の設定画面、または動作表示に合わせて、異なる振動パターンで振動させる機能も備える。加えて、使用者が自分の嗜好に合わせて画面ごとに振動パターンを変更設定する機能も備える。詳細は後述する。
【００２５】
出湯配管３は貯湯タンクユニット１ｂに接続され、浴室８の浴槽４、シャワー５、カラン６にお湯を供給する。カラン６の上部には操作レバー７を備え、操作レバー７を押し下げると出湯する。
【００２６】
浴室８には、リモコン２、浴槽４、シャワー５、カラン６を備える。また給湯装置１とリモコン２は通信線で接続され、リモコン２を操作すると、給湯装置１に制御信号を送信し、給湯装置１を制御し、出湯温度の変更、お湯はり、貯湯量設定などを行なう。なお図１では説明の為、給湯装置１とリモコン２は、有線接続しているよう図示しているが、これに限定されるものでなく無線で通信するようにしてもよい。また図示しないが、貯湯タンクユニット１ｂには、家屋で利用されるその他の場所、洗面所や台所などのカランにも配管されお湯を供給する。
【００２７】
次に図２において、リモコン２は、操作手段２０１、制御手段２０２、記憶手段２０３、振動手段２０４（振動装置）、表示手段２０５、振動パターン設定手段２０６、通信手段２０７で構成される。これらを協働させ、給湯装置１を制御するリモコン２の機能を形成している。
【００２８】
操作手段２０１は、リモコン２に備えるスイッチで提供される。使用者は操作手段２０１を操作し、カラン６より出湯するお湯の温度を設定、変更する。また風呂への湯はり温度を変更、設定する。カランから出湯する給湯温度は、３２℃、３５℃、３７〜４８℃、５０、５５、６０℃の範囲で設定できる。風呂の湯はり温度は、３３〜４８℃である。
【００２９】
なお、設定可能な温度範囲は、給湯装置の種類によって異なるもので、上記範囲に限定されるものではない。温度設定の他には前述したような給湯装置１の機能に対して、操作
手段２０１を操作し設定する。また各スイッチは、上述したように、ボタンスイッチやメンブレンスイッチ、タッチスイッチなどで形成され、後述する振動手段２０４を接続し使用者が操作するとき、スイッチを振動するようにしている。
【００３０】
制御手段２０２は、リモコン２の制御機能を提供する。具体的には、マイクロコンピュータなどで形成され、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリである記憶手段２０３に必要な設定情報を記憶し、リモコン２を機能させている。操作手段２０１で変更された温度設定値は、制御手段２０２で制御電文を生成し、後述の通信手段２０７を介して通信し、給湯装置１を制御する。
【００３１】
振動手段２０４（振動装置）は、触覚提示素子である小型モータや圧電デバイスなどで形成される。振動手段２０４は、操作手段２０１が操作され、変更された時の表示画面や動作状態に応じた振動パターンを、記憶手段２０３から取得し振動する。そして接続している操作手段２０１を振動させることで、現在何の機能を操作しているかを使用者の指に触感としてフィードバックし、何を設定したかを蝕知させる。
【００３２】
表示手段２０５は、液晶や蛍光表示管などの表示デバイスで構成される。通常、現在の給湯装置１の給湯温度、ふろ温度又は貯湯タンク１ｂの残湯量などを表示し、使用者に動作状態を示している。前述したように、通常表示している給湯温度設定画面（ベース画面）の他、各種設定機能をメニュー表示（メニュー画面）したり、お知らせ情報を表示したり、エラー情報などを表示し、使用者に情報を提供する。
【００３３】
本実施の形態では説明しないが、表示手段２０５は、表示しているＧＵＩ（グラフィカル使用者インターフェイス）を選択操作できるものであってもよく、より直感的操作が可能となる。
【００３４】
振動パターン設定手段２０６は、前述した給湯温度設定画面（ベース画面）、各種設定を行なうメニュー画面など、画面ごとに振動パターンを設定させる。振動パターン設定手段２０６は、リモコン２に設けた設定機能である。設定は使用者が、自分の嗜好に合わせて設定する。
【００３５】
例えば、給湯温度設定画面（ベース画面）を、蝕知できるようにする為、振動パターンをメニューから選択して設定する。その他の設定画面に関しても同様であり、メニュー画面に設定する場合、前記給湯温度設定画面（ベース画面）とは別の振動パターンを設定するようにできる。
【００３６】
この設定により現在操作している画面を指の触感で認識させる。振動パターンは、リモコン２の機能として複数種類備え、意味のある画面ごとに設定できるようにしている。
【００３７】
通信手段２０７は、給湯装置１に対して制御電文（制御信号）を通信する。リモコン２の操作で設定された設定値（例えば、温度設定変更）を、制御手段２０２で制御電文を生成し、通信手段２０７を介して給湯装置１に通信する。そして制御電文の設定値に給湯装置１が制御される。
【００３８】
次に、給湯温度変更の操作時に、振動手段２０４で操作手段２０１を振動させ、使用者に操作画面を蝕知させる動作・作用を説明する。図３は使用者が操作手段２０１を操作し、給湯温度を変更するときのリモコンの動作を示すフローチャートである。図４はリモコン２の表示画面とスイッチである。
【００３９】
スイッチ（操作手段２０１）は給湯温度の上げ下げを行なったり、メニューでカーソルを上下させる下スイッチ４０１、上スイッチ４０２、設定するメニュー画面を表示するメニュースイッチ４０３、選択した内容を確定する確定スイッチ４０４がある。
【００４０】
使用者は、予めリモコン２の設定機能により、給湯温度設定画面（ベース画面）を振動パターンＡ、種々の設定画面（メニュー画面）を振動パターンＢ、ふろ温度設定画面を振動パターンＣに設定している場合に説明する。この設定は、お湯の温度に関係する設定は、安全に使用する観点でも注意をはらう必要があることを想定し、振動させるように設定している。
【００４１】
給湯温度設定画面（ベース画面  図４（ａ））を表示している時、使用者は給湯温度を下げる為、操作手段２０１である下スイッチ（図４  ４０１）を押下する。ここで下スイッチ４０１を２回押下すると、４２℃から４０℃に変更され、リモコン２の記憶手段２０３に記録される（Ｓ３０１）。そして制御手段２０２は、記憶手段２０３に予め設定された給湯温度設定画面（ベース画面）かどうかを判断する（Ｓ３０２）。
【００４２】
給湯温度設定画面（ベース画面）であった場合、制御手段２０２は記憶手段２０３に設定された給湯温度設定画面（ベース画面）の振動パターンＡを取得し、振動手段２０４を振動させる。そして接続された操作手段２０１を振動させることで、使用者の指に触感を提示し現在の操作画面が、給湯温度設定画面（ベース画面）であることを認識させる（Ｓ３０３、Ｓ３０４）。給湯温度設定画面（ベース画面）で温度変更したことを認識させる為、上スイッチ４０２、下スイッチ４０１を操作し、給湯温度が変化した時のみ各スイッチ（操作手段２０１）を振動させるようにしている。
【００４３】
次に、給湯温度設定画面（ベース画面図４（ａ））を表示している時、メニュースイッチ（図４  ４０３）を押下すると、メニュー画面（図４（ｂ））が表示される。メニュー画面では、使用者に対して、給湯装置１の設定メニューを提示する。図４（ｂ）の場合、「ふろ温度設定」、「ぬるめ」、「ふろ湯量設定」の設定が可能であり、メニュー画面をスクロールさせることで、他の設定機能も表示される。
【００４４】
メニュー画面（図４（ｂ））で、ふろ温度設定を選択する為、選択カーソルを合わせ、確定スイッチ（４０４）を押下すると、メニュー画面で、ふろ温度設定が選択されたことを制御手段２０２が判断する（Ｓ３０５）。
【００４５】
メニュー画面で確定スイッチ４０４が押下されたことにより、制御手段２０１は記憶手段２０３に設定されたメニュー画面の振動パターンＢを取得する（Ｓ３０６）。そして、振動パターンＢで振動手段２０４が操作手段２０１を振動させることで、使用者の指に触感を提示し、現在の操作画面がメニュー画面であることを認識させる（Ｓ３０７）。
【００４６】
次に、メニュー画面（図４（ｂ））を表示している時に、ふろ温度設定を選択し、確定スイッチ４０４を押下すると、ふろ温度設定画面（図４（ｃ））が表示される。ふろ温度設定では、使用者に対してふろ温度の設定機能を提供する。上スイッチ４０２、下スイッチ４０１で温度設定値を変更し、確定スイッチ４０４を押下することで設定を変更する。
【００４７】
ふろ温度設定画面（図４（ｃ））で、現在４５℃の温度を４４℃に変更する場合、下スイッチ４０１を１回押下し、表示を４５℃から４４℃に変更し、確定スイッチ４０４を押下する。この時、制御手段２０２は、確定された変更温度を記憶手段２０３に記録する。そして制御手段２０２によって、現在の表示画面がふろ温度設定画面であることを判断する（Ｓ３０８）。
【００４８】
制御手段２０２で、ふろ温度設定画面が表示されていると判断すると、記憶手段２０３から、前記画面で振動させる振動パターンＣを取得する（Ｓ３０９）そして、振動パターンＣで振動手段２０４が操作手段２０１を振動させることで、使用者の指に触感を提示し、現在の操作画面がふろ温度設定画面であることを認識させる（Ｓ３１０）。そして、操作時に振動するように設定していない画面表示の場合、振動手段２０４は操作手段２０１を振動させない（Ｓ３１１）。そして使用者が操作する度にこの処理を繰り返す。
【００４９】
このように本実施の形態によれば、使用者が操作手段２０１を指で操作する時、動作画面に応じて操作手段２０１が振動するので、操作している画面を指の触覚で認識できるようになり、給湯温度設定画面（ベース画面）のようによく利用する画面を、目や耳で確認しなくても、また確認出来なくても、現在どの画面で何の操作をしているかを、認識して利用でき、給湯リモコン装置の操作性、利便性が向上する。
【００５０】
指の触感で画面を認識できるので目や耳の不自由な方や高齢者にも使いやすくなる。加えて、使用者にお湯を安全に使用させる為に、給湯温度の設定画面などにおいて、操作手段を振動させることで意味を持たせ、使用者に触感で認識させることができるようになる。
【００５１】
また、給湯温度設定画面を表示した時、振動手段で操作手段を振動させるようにすることで、給湯温度設定画面での温度設定操作を目や耳で確認しなくても利用できるようになり、給湯リモコン装置の操作性がよくなる。また給湯温度を変更していることを指の触感で認識できるので、目や耳の不自由な方や高齢者にも使いやすくなり、より安全性も高めることができる。
【００５２】
また給湯温度設定画面と、その他の設定画面の違いを別の振動パターンで振動させることによって、お湯の温度を変更する設定なのか、そうでないのかを簡単に認識させることができ、利便性がよくなり、誤操作を防止し安全性が高まる。また、振動する表示画面を設定できるようにすることで、好きな振動パターンを、良く利用する設定画面等に設定できるので、給湯リモコン装置の利便性がより高まる。
【００５３】
なお、本実施の形態では、給湯装置１として、ヒートポンプ給湯機で説明したが、電気温水器、ガス給湯機、燃料電池やガスエンジンを用いたコージェネレーションシステムなど給湯機能の付いた装置であってリモコンなどの制御手段があるものであればよい。
【００５４】
また給湯装置１とリモコン２の間で通信するように説明したが、通信方式には依存しない。有線でも無線でもよい。無線の場合、宅内で一般的に利用される特定小電力無線、無線ＬＡＮ、２．４ＧＨｚ帯などで利用されるものである。また利用される場所には依存せず、一般家庭、商用施設、業務用途であってもよい。
【００５５】
また振動させる表示画面は、給湯温度設定画面（ベース画面）、メニュー画面、ふろ温度設定画面で説明したが、一例であり、これに限定されるものではない。また画面ごとに設定する振動パターンは、使用者が設定してもよいし、デフォルトでもよい。また操作手段を押下する前、すなわち触った時点で、現在の表示画面を、振動手段によって触感で提示してもよい。
【００５６】
また本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。
【００５７】
プログラムの形態であれば、磁気メディアや光メディアなどの記録媒体に記録したり、
インターネットなどの通信回線を用いて配信することで新しい機能の配布・更新やそのインストール作業が簡単にできる。
【産業上の利用可能性】
【００５８】
本発明にかかる給湯リモコン装置、給湯温度の報知方法及びプログラムは、家庭用、業務用などの給湯機能を提供する装置、システムでの設定の触感提示、報知機能に利用できる。
【符号の説明】
【００５９】
２  給湯リモコン装置
２０１  操作手段
２０２  制御手段
２０４  振動手段
２０５  表示手段
２０６  振動パターン設定手段
２０７  通信手段
【図１】
2010270977.tif 000003
【図２】
2010270977.tif 000004
【図３】
2010270977.tif 000005
【図４】
2010270977.tif 000006